(57)【要約】      （修正有）【課題】収容される容器を、良く保護することが可能であり、安定的に収容することが可能であり、そして収納時にスペースをとらず、構造が簡素であり、利用が極めて便利である飲料用携帯袋を提供する。【解決手段】ベース部２０と、ベース部の両側からそれぞれ延びる翼部２１、２１’と、を備えるフレキシブルシート２と、ベース部に設けられており、受け板３１を含み、受け板とベース部の間に間隔空間が形成され、受け板に収容口３２が少なくとも一つ設けられており、各収容口は容器を収容することが可能な受け枠３と、を含む飲料用携帯袋において、二つの翼部を折れて互いに当接すると、ユーザが容器を引上げて携帯することが可能であり、容器は、その底部が間隔空間を超えずに支持される。【選択図】図３
0003200219.tif 000002
【実用新案登録請求の範囲】
【請求項１】
ベース部と、前記ベース部の両側からそれぞれ延びる翼部と、を備えるフレキシブルシートと、
前記ベース部に設けられており、受け板を含み、前記受け板と前記ベース部の間に間隔空間が形成され、前記受け板に収容口が少なくとも一つ設けられており、前記各収容口は容器を収容することが可能な受け枠と、
を含む飲料用携帯袋において、
前記二つの翼部を折って互いに当接すると、ユーザが前記容器を引上げて携帯することが可能であり、前記容器は、その底部が前記間隔空間を超えずに支持されることを特徴とする、
飲料用携帯袋。
【請求項２】
前記各翼部には、ユーザの指を挿入することが可能な指挿入口が設けられていることを特徴とする、請求項１に記載の飲料用携帯袋。
【請求項３】
前記二つの指挿入口のうちの少なくとも一つのエッジには、屈折可能なシートが設けられており、前記シートは、屈折して別の前記指挿入口に挿入することが可能であることを特徴とする、請求項２に記載の飲料用携帯袋。
【請求項４】
前記ベース部と前記二つの翼部の連接箇所では、第１折り線がそれぞれ設けられていることを特徴とする、請求項１に記載の飲料用携帯袋。
【請求項５】
前記受け板には、収容口が複数設けられており、これらの前記収容口は、少なくとも一つの大径収容口と、少なくとも一つの小径収容口と、を含むことを特徴とする、請求項１に記載の飲料用携帯袋。
【請求項６】
前記各収容口のエッジには、内側へ延びる突出シートが多数設けられていることを特徴とする、請求項１から５の何れかに記載の飲料用携帯袋。
【請求項７】
前記各突出シートと前記収容口のエッジの連接箇所では、厚さ方向に切り線が形成されていることを特徴とする、請求項６に記載の飲料用携帯袋。
【請求項８】
前記受け板には、少なくとも一つの保持部が別に設けられており、前記保持部には、品物を挟んで保持することが可能であることを特徴とする、請求項１に記載の飲料用携帯袋。
【請求項９】
前記受け枠は、更に、前記受け板の両側及び前記ベース部と連接する二つのサイド板を含み、前記各サイド板と前記受け板の連接箇所では、第２折り線がそれぞれ設けられていることを特徴とする、請求項１に記載の飲料用携帯袋。
【請求項１０】
前記各収容口の下方は、前記ベース部の少なくとも一部に対応することを特徴とする、請求項１に記載の飲料用携帯袋。
【考案の詳細な説明】
【技術分野】
【０００１】
本考案は、袋に関し、特に、飲料用携帯袋に関するものである。
【背景技術】
【０００２】
コンビニエンスストア及びコーヒーショップは、コーヒーや飲料を販売しているときに、使用される容器に蓋を被せることが一般的であるが、容器と蓋の間が液密状態ではないため、容器に収容されるコーヒーや飲料は容器から漏れ出すことがある。そしてコーヒーや飲料を収容する容器にハンドルが設けられているため、一回に１杯分のコーヒーや飲料だけを購買することが可能である。このため、コーヒーや飲料の購買は極めて不便であった。
【０００３】
この問題を解決するために、特許文献１の台湾実用新案Ｍ２４８７４９号、特許文献２の台湾実用新案Ｍ３２６５１７号、特許文献３の台湾実用新案Ｍ４２２８９１号及び特許文献４の台湾実用新案Ｍ４５４９９０号が提案された。
これらの提案は、上記の問題を解決することが可能であるが、下記の問題がある。すなわち、これらの袋の構成は、収容空間が容器の一部だけを覆い、且つ容器の底部が外部に露呈するため、保護が不完全であり、そしてその収容口が容器の一部を押付けるため、容器を安定的に収容することができない。
【０００４】
また、特許文献２の台湾実用新案Ｍ３２６５１７号及び特許文献３の台湾実用新案Ｍ４２２８９１号の袋は、容器以外のもの（例えばストローなど）は、外側に置かれているため、紛失しやすく、そしてホコリなどが付着しやすい。
【先行技術文献】
【特許文献】
【０００５】
【特許文献１】台湾実用新案Ｍ２４８７４９号公報
【特許文献２】台湾実用新案Ｍ３２６５１７号公報
【特許文献３】台湾実用新案Ｍ４２２８９１号公報
【特許文献４】台湾実用新案Ｍ４５４９９０号公報
【考案の概要】
【考案が解決しようとする課題】
【０００６】
本考案の主な目的は、収容される容器を、良く保護することが可能であり、安定的に収容することが可能であり、そして収納時にスペースをとらず、構造が簡素であり、利用が極めて便利である飲料用携帯袋を提供することにある。
【課題を解決するための手段】
【０００７】
本考案の飲料用携帯袋は、ベース部と、ベース部の両側からそれぞれ延びる翼部と、を備えるフレキシブルシートと、ベース部に設けられており、受け板を含み、受け板とベース部の間に間隔空間が形成され、受け板に収容口が少なくとも一つ設けられており、各収容口は容器を収容することが可能な受け枠と、を含む飲料用携帯袋において、二つの翼部を折って互いに当接すると、ユーザが容器を引上げて携帯することが可能であり、容器は、その底部が間隔空間を超えずに支持されることを特徴とする。
【０００８】
本考案の飲料用携帯袋は、各翼部には、ユーザの指を挿入することが可能な指挿入口が設けられていることを特徴とする。
【０００９】
本考案の飲料用携帯袋は、二つの指挿入口のうちの少なくとも一つのエッジには、屈折可能なシートが設けられており、シートは、屈折して別の指挿入口に挿入することが可能であることを特徴とする。
【００１０】
本考案の飲料用携帯袋は、ベース部と二つの翼部の連接箇所では、第１折り線がそれぞれ設けられていることを特徴とする。
【００１１】
本考案の飲料用携帯袋は、受け板には、収容口が複数設けられており、これらの収容口は、少なくとも一つの大径収容口と、少なくとも一つの小径収容口と、を含むことを特徴とする。
【００１２】
本考案の飲料用携帯袋は、各収容口のエッジには、内側へ延びる突出シートが多数設けられていることを特徴とする。
【００１３】
本考案の飲料用携帯袋は、各突出シートと収容口のエッジの連接箇所では、厚さ方向に切り線が形成されていることを特徴とする。
【００１４】
本考案の飲料用携帯袋は、受け板には、少なくとも一つの保持部が別に設けられており、保持部には、品物を挟んで保持することが可能であることを特徴とする。
【００１５】
本考案の飲料用携帯袋は、受け枠は、更に、受け板の両側及びベース部と連接する二つのサイド板を含み、各サイド板と受け板の連接箇所では、第２折り線がそれぞれ設けられていることを特徴とする。
【００１６】
本考案の飲料用携帯袋は、各収容口の下方は、ベース部の少なくとも一部に対応することを特徴とする。
【考案の効果】
【００１７】
本考案の飲料用携帯袋は、収容される容器を、良く保護することが可能であり、安定的に収容することが可能であり、そして収納時にスペースをとらず、構造が簡素であり、利用が極めて便利であるという効果を有する。
【図面の簡単な説明】
【００１８】
【図１】本考案の一実施例を示す分解斜視図である。
【図２】本考案の一実施例の組合済み状態を示す展開図である。
【図３】本考案の一実施例を示す斜視図と、その一部を示す拡大図である。
【図４】本考案の一実施例の使用状態を示す模式図１である。
【図５】本考案の一実施例の使用状態を示す模式図２である。
【考案を実施するための形態】
【００１９】
以下、本考案の実施の形態を図面に基づいて説明する。
本考案の一実施例の飲料用携帯袋１は、フレキシブルシート２と、受け枠３と、を含む。
【００２０】
図１から図３を参照する。図１は本考案の一実施例を示す分解斜視図であり、図２は本考案の一実施例の組合済み状態を示す展開図であり、図３は本考案の一実施例を示す斜視図であり、図３Ａは本考案の一実施例の一部を示す拡大図である。
フレキシブルシート２は、ベース部２０と、ベース部２０の両側からそれぞれ延びる翼部２１、２１´と、を含む。各翼部２１、２１´には、ユーザの指を挿入することが可能な指挿入口２２、２２´が設けられている。詳細には、翼部２１、２１´は、ベース部２０の両側から延びるように設けられており、指挿入口２２、２２´のうちの少なくとも一つのエッジには、屈折可能なシート２２０が設けられている。
シート２２０は、屈折して別の指挿入口２２´に挿入することが可能である。シート２２０を屈折して別の指挿入口２２´に挿入することにより、翼部２１、２１´を互いに当接するように固定することが好ましい。ベース部２０と翼部２１、２１´の連接箇所では、第１折り線２３がそれぞれ設けられている。第１折り線２３により、翼部２１、２１´を折った後、翼部２１、２１´とベース部２０は予定形状に形成される。
【００２１】
図３から図５を参照する。図４は本考案の一実施例の使用状態を示す模式図１であり、図５は本考案の一実施例の使用状態を示す模式図２である。
受け枠３は、ベース部２０に設けられており、受け板３１を含む。受け板３１とベース部２０の間に間隔空間４が形成される。受け板３１に収容口３２が少なくとも一つ設けられている。各収容口３２に容器５を収容することが可能である。詳細には、受け板３１には、収容口３２が複数設けられており、これらの収容口３２は、少なくとも一つの大径収容口３２Ａと、少なくとも一つの小径収容口３２Ｂと、を含み、各収容口３２のエッジには、内側へ延びる突出シート３３が多数設けられている。突出シート３３により、容器をより安定的に保持することが可能である。
各突出シート３３と収容口３２のエッジの連接箇所では、厚さ方向に切り線３３０が形成されていることが好ましい。切り線３３０により、突出シート３３の折れはより自然となる。詳細には、収容口３２に容器５を置いているときに、突出シート３３が容器５に圧迫されて切り線３３０に沿って折れられる。折れられた突出シート３３は、一定の力で容器５を押付けるため、容器５を安定的に保持することが可能である。特に、各収容口３２は、容器５及びその他の付属品（例えばストロー、シュガーパケットや攪拌棒など）に応じて、それらに対応する直径にすることが可能であり、且つ各直径を有する収容口３２に突出シート３３が多数設けられている。
受け板３１には、少なくとも一つ保持部３４が別に設けられていることが好ましい。保持部３４には、品物（例えばストローや攪拌棒など）を挟んで保持することが可能である。詳細には、保持部３４は、受け板３１に一体成形されなくてもよく、粘着又は係合などの方法によって受け板３１に設けられていてもよい。
【００２２】
受け枠３は、図２及び図３に示すように、更に、受け板３１の両側及びベース部２０と連接するサイド板３５、３５´を含む。各サイド板３５、３５´と受け板３１の連接箇所では、第２折り線３６がそれぞれ設けられている。第２折り線３６により、受け枠３とサイド板３５、３５´は、第２折り線３６に沿って折れられてコ字形となって、翼部２１、２１´に固定されている。
本実施例では、サイド板３５がベース部２０を挿通し、サイド板３５´が翼部２１´と連接する。折れられるサイド板３５、３５´とベース部２０とから、間隔空間４が形成される。特に、サイド板３５、３５´の固定方式は、これらに限定されない。もちろん、サイド板３５、３５´の固定方式は、受け枠３、サイド板３５、３５´とベース部２０から間隔空間４を形成できれば、何れの構成を採用してもよい。
【００２３】
図４及び図５を参照する。翼部２１、２１´を折って互いに当接すると、ユーザが容器５を引上げて携帯することが可能であり、容器５は、その底部が間隔空間４を超えずに支持される。詳細には、翼部２１、２１´を折って互いに当接すると、受け枠３が覆われて、各収容口３２の下方はベース部２０の少なくとも一部に対応する。
本実施例のベース部２０は、一つのシートであり、翼部２１、２１´に連接されている。すなわち、ベース部２０と翼部２１、２１´は、同じシートの一部としてもよい。容器５を良く支持するために、ベース部２０は、サイド板３５、３５´と収容口３２との大きさに合わせて、収容口３２の下方にフレームやリブなどを設けてもよい。
【００２４】
収容口３２に容器５を置くと、突出シート３３が容器５に圧迫されて、切り線３３０に沿って折れられて、容器５の一部が間隔空間４内に位置し、容器５の底部がベース部２０を超えない。受け枠３、間隔空間４及び容器５は翼部２１、２１´に覆われる。折れられた突出シート３３は、一定の力で容器５を押付けるため、容器５を安定的に保持することが可能である。本考案の飲料用携帯袋１によれば、飲料用携帯袋１内に置かれている品物は、外力を受けても、容器５が倒れず、ストロー、シュガーパケットや攪拌棒などが紛失し、又は損壊することはない。
【００２５】
なお、本考案は前記実施の形態に限定されるものではなく、本考案の趣旨に基づいて種々変形させることが可能であり、それらを本考案の範囲から排除するものではない。
【００２６】
本考案は、飲料を携帯するための袋に適用することができる。
【符号の説明】
【００２７】
１  飲料用携帯袋
２  フレキシブルシート
３  受け枠
４  間隔空間
５  容器
２０  ベース部
２１、２１´  翼部
２２、２２´  指挿入口
２３  第１折り線
３１  受け板
３２  収容口
３２Ａ  大径収容口
３２Ｂ  小径収容口
３３  突出シート
３４  保持部
３５、３５´  サイド板
３６  第２折り線
２２０  シート
３３０  切り線
【図１】
0003200219.tif 000003
【図２】
0003200219.tif 000004
【図３】
0003200219.tif 000005
【図４】
0003200219.tif 000006
【図５】
0003200219.tif 000007